(57)【要約】【課題】編集作業をシームレスに行えるようにして編集作業の負担を軽減する。【解決手段】本画面編集方法は、表示画面を画面、その背景画面およびその背景色の３つの要素に分けるステップと、同一の編集画面上にすべての要素を組み合わせた最終的な状態を表示するステップと、上記編集画面上で上記表示状態を閲覧しつつ、画面の編集と、背景画面の表示／非表示および設定／変更と、背景色の表示／非表示および選択／変更とを、メニューから機能を選択せずかつ別途にウインドウを開かずに行うステップとを含む。【選択図】図９
2007248579.tif 000002
【特許請求の範囲】
【請求項１】
同一の編集画面部上に画面、その背景画面およびその背景色の３つの画面要素を組み合わせた最終的な状態を表示可能とし、
上記編集画面部上で上記表示状態を閲覧しつつ、上記画面の編集と、背景画面の表示／非表示および設定／変更と、背景色の表示／非表示および選択／変更とを、メニューから機能選択せずかつ別途にウインドウを開かずに、行うことを可能とした、
ことを特徴とする画面編集方法。
【請求項２】
表示器に表示する表示画面の編集作業を行うための編集画面を備えた画面編集装置において、
上記編集画面上に、
画面、その背景画面およびその背景色の３つの画面要素を組み合わせた状態を表示し、かつ、上記３つの画面要素のうちの画面の編集作業を行うことが可能な編集画面部と、
上記編集画面部上に現在編集中の画面の表示／非表示と、その背景画面の設定／変更、表示／非表示と、その背景色の表示／非表示および選択／変更と、を設定操作することができる設定操作部と、
を配置したことを特徴とする画面編集装置。
【発明の詳細な説明】
【技術分野】
【０００１】
本発明は、例えば表示器の表示画面に表示される画面を編集する画面編集方法およびパーソナルコンピュータ等の画面編集装置に関するものであり、特に、プログラマブルロジックコントローラ（ＰＬＣ）等と接続して使用される表示器に表示させる画面を編集する画面編集方法、およびこの方法の実施に用いる画面編集装置に関するものである。
【背景技術】
【０００２】
例えば複数の外部機器をＰＬＣでシーケンス制御し、その外部機器の状況表示や外部機器の操作制御をＰＬＣに接続された表示器の表示画面上で配置表示した部品により行うとともに、各表示器をホストコンピュータに共通接続し、このホストコンピュータでシステム全体を一括管理可能とした電力制御や工場設備等の制御システムがある。このような制御システムにおいて外部機器としては例えば操作盤、センサ、スイッチ、アクチュエータ、メータ、表示灯等がある。
【０００３】
このような制御システムにおいて表示器の表示画面には外部機器の状況表示や外部機器の操作のための部品が配置されて表示されている。この部品はＨＭＩ（ヒューマン・マシン・インターフェース）部品と定義されるものである。このＨＭＩ部品にはメータ表示部品、グラフ表示部品、スイッチ表示部品、その他の表示部品がある。近年では表示器の表示画面をタッチパネル式としてこの表示画面上に表示されている部品へのタッチ操作で外部機器を制御することができるようになっている（特許文献１等参照）。
【０００４】
このような表示器における表示部品はその目的に応じてその種類や配置の形態が各種あり、パーソナルコンピュータのディスプレイに呼び出した編集画面上で編集し、その編集した表示画面をパーソナルコンピュータから表示器に転送することが行われている。
【０００５】
このパーソナルコンピュータではＣＤ−ＲＯＭのような記憶媒体を用いて画面編集用のアプリケーションソフトウェアがインストールされており、ユーザーはこのアプリケーションソフトウェアを起動させることによりパーソナルコンピュータに編集画面を呼び出し、その編集画面上に独自に表示画面を編集することができるようになっている。
【０００６】
このような上記編集画面上での編集において、本出願人は、公知ではない以下の編集方法を開発している。
【０００７】
すなわち、表示器上に表示する表示画面は、画面と、この画面の後ろに背景として表示するよう設定された背景画面と、画面の背景色との３つの画面要素に分割する。そして、これら分割した画面要素を別々に編集または設定し、最終的に編集画面上で合成表示する。このような画面編集においては、背景画面を各表示画面の編集に共通して用いることができるので編集作業が簡易化する。
【０００８】
しかしながら、画面と背景画面と背景色の各画面要素を合成した後において、例えば背景画面を変更する必要がある場合、背景画面を選択する機能をメニューから呼び出し、別途表示される設定ウインドウ上にて背景画面を選択し、背景画面の設定を確定させている。
【０００９】
また、背景色を変更する場合にも背景画面の変更手順と同様に背景色を選択する機能をメニューから呼び出し、別途表示される設定ウインドウ上にて背景色を選択し、背景色の設定を確定の変更手順を踏む。
【００１０】
このように、画面、背景画面、背景色を合成後、背景画面や背景色を変更する場合には、上記のように設定ウインドウを呼び出しては選択、設定して合成するという手順を繰り返す。
【００１１】
そのため、編集画面には最終的に表示する画面を表示することができるものの、背景画面を非表示の状態にして内容画面だけを表示して調整したい、背景画面の候補をいくつか用意したためこれを切り替えて調子を見たい、といった場合、上記手順を何度も繰り返す必要があり、非常に煩わしく、また編集作業のテンポを乱される。
【００１２】
このような編集作業は大変であり、近年のごとく工場設備等においてＰＬＣの設置数の増大に伴い、表示器数が増加してくるような状況では、画面編集作業者からの画面編集作業の時間短縮、作業上の負担軽減への要求が高くなっている。
【特許文献１】特開平７−１２９３６４号公報
【発明の開示】
【発明が解決しようとする課題】
【００１３】
本発明は、表示画面の編集における編集時間の短縮と作業上の負担軽減とを可能とするものである。
【課題を解決するための手段】
【００１４】
本発明による画面編集方法は、同一の編集画面部上に画面、その背景画面およびその背景色の３つの画面要素を組み合わせた最終的な状態を表示可能とし、上記編集画面部上で上記表示状態を閲覧しつつ、上記画面の編集と、背景画面の表示／非表示および設定／変更と、背景色の表示／非表示および選択／変更とを、メニューから機能選択せずかつ別途にウインドウを開かずに、行うことを可能としたことを特徴とするものである。
【００１５】
本発明によると、すべての画面要素（画面、背景画面、背景色）を組み合わせて最終的に表示される状態を、同一の編集画面上でシームレスに編集することができるため、編集作業のテンポを乱すことなく作業を進められるようになる。
【００１６】
上記表示器は、プログラマブルロジックコントローラと接続して使用される表示器であることが好ましい。
【００１７】
上記画面編集装置は、上記画面編集方法を実行する画面編集ソフトウエアがインストールされているパーソナルコンピュータであることが好ましい。
【発明の効果】
【００１８】
本発明によれば、画面の編集をスムーズに進めることができ、その作業の負担を軽減することができる。
【発明を実施するための最良の形態】
【００１９】
以下、添付した図面を参照して本発明の実施の形態に係る画面編集方法を詳細に説明する。
【００２０】
図１にパーソナルコンピュータ等の画面編集装置２と、この画面編集装置２から編集画面が転送される表示器４とを示す。
【００２１】
画面編集装置２は、パーソナルコンピュータ等により構成され、詳しい構成の説明は略するが、ディスプレイ、キーボードやマウス等の入力装置、およびパーソナルコンピュータ本体を備える。パーソナルコンピュータ本体では、ＣＰＵ、ＲＯＭ、ＲＡＭ、記録媒体ドライブ、外部記憶装置、入力装置、通信制御部等を備えている。
【００２２】
ディスプレイは、表示画面を作成したり編集したりするための編集画面を表示することができる。入力装置は編集画面上で表示画面を作成したり編集したりするために操作される。記録媒体ドライブは、ＣＤ−ＲＯＭやフロッピィディスク等の記録媒体にデータの読み書きが可能になっている。外部記憶装置は、記録媒体から読み込まれた表示画面作成ないし編集のアプリケーションソフトウェアを記憶することができるようになっている。通信制御部は、編集した表示画面のデータを表示器に対して転送することができるようになっている。画面編集装置はまた、記録媒体から画面編集用のアプリケーションソフトをダウンロードしてもよいし、内部にそのアプリケーションソフトを備えていてもよい。
【００２３】
一方、実施の形態の表示器４はＰＬＣと接続されて用いるものであり、上記した制御システムにおいて必要とする表示画面が多数あり、また、この表示画面に加えて他の表示制御動作に必要な設定項目も多数ある。そのため、画面編集装置２から表示器４には画面データと設定データとが転送されるようになっている。
【００２４】
以上説明した画面編集装置２においては、編集画面を用いて上記多数の表示画面それぞれを編集することができるようになっている。
【００２５】
この実施の形態の画面編集方法は、表示画面を、画面と、その背景画面とその背景色との３つの画面要素に分けるステップと、１つの編集画面上にすべての画面要素を組み合わせた最終的な状態を表示するステップと、上記編集画面上で上記表示状態を閲覧しつつ、画面の編集と、背景画面の表示／非表示および設定／変更と、背景色の表示／非表示および選択／変更とを、メニューから機能選択せずかつ別途にウインドウを開かずに行うステップとを含む。
【００２６】
編集画面上では、メニューから機能選択したり、別途にウインドウを開くこともなく、画面、背景画面、背景色を表示すること、非表示にすること、また、背景画面の設定や変更、背景色の選択や変更を行うことができる。上記機能は、背景画面の表示／非表示および設定／変更と、背景色の表示／非表示および選択／変更に関する機能のことである。
【００２７】
上記背景画面は、画面の後ろに表示する画面のことである。
【００２８】
図２ないし図８を参照して背景画面を説明する。まず、図２を参照して、図２（ａ）の画面は画面１と画面２とが表示されている。図２（ｂ）の画面は画面１と画面３とが表示されている。図２（ｃ）の画面は画面１と画面４とが表示されている。図２（ｄ）の画面は画面１と画面５とが表示されている。これら図２（ａ）ないし図２（ｄ）それぞれの画面においては、色無しはハッチング無しとし、色付きはハッチングで示し、異なる色同士は異なるハッチング態様で示す。以下も同様である。これら図２（ａ）ないし図２（ｄ）それぞれの画面においては、画面１が共通している。そのため、画面１は、各画面で共通して用いることができる背景画面とすることができる。
【００２９】
図３は背景画面として作成された画面１を示す。
【００３０】
一方、図２（ａ）ないし図２（ｄ）の画面２ないし５を編集する画面として図４（ａ）ないし図４（ｄ）のように編集する。そして、図３の背景画面と図４（ａ）ないし図４（ｄ）の画面とを図５（ａ）ないし図５（ｄ）のように合成する。
【００３１】
以上説明した背景画面において、その概念をさらに説明する。
【００３２】
図６（ａ）と図６（ｂ）はそれぞれ別々の画面１，２である。この画面１，２のうち、例えば、図６（ａ）の画面１を図７（ａ）のように画面１とその背景色とに分割することができる。図６（ｂ）の画面２を図７（ｂ）のように画面２とその背景色とに分割することができる。
【００３３】
この段階では背景画面を設定していない。
【００３４】
画面２を画面１の背景画面とした場合、図８で示すように画面１の後ろ側に画面２が表示される。この場合、画面２に設定されていた背景色は画面１には引き継がれない。また、画面１の背景画面に画面２が設定されていても、画面２の背景画面は画面１には引き継がれない。
【００３５】
次に図９ないし図１３を参照して画面編集方法を説明する。
【００３６】
図９は画面編集装置内蔵のアプリケーションソフトの起動あるいは外部からダウンロードしたアプリケーションソフトの起動により表示された編集画面である。図９で示すように、実施の形態の編集画面はタイトルバー１、メニューバー２、ツールバー３、ナビゲーションウインドウ４、ステータスバー５、オブジェクトリスト６、および編集画面部７から図に示す位置関係と大きさとで構成されている。この位置関係や大きさの詳細は説明を略する。
【００３７】
編集画面部７は、表示器上の表示画面を、画面と、その背景画面と、その背景色の３つの画面要素に分け、その３つの画面要素のうち画面のみを編集することができるとともに、これら３つの画面要素を組み合わせた最終的な状態を表示することができるようになっている。
【００３８】
ナビゲーションウインドウ４は、プレビュー部４１と、設定操作部４２とから構成されている。プレビュー部４１は、画面、背景画面をプレビューするものである。設定操作部４２は、画面設定操作部４２１と、背景画面設定操作部４２２と、背景色設定操作部４２３とからなる。
【００３９】
図１０に設定操作部４２を拡大して示す。図１０を参照して、画面設定操作部４２１は、現在編集中の画面の表示／非表示を選択する選択部４２１ａと、現在編集中の画面のプレビュー部４２１ｂとを備える。また、画面の画面番号表示部４２１ｃと、画面の画面名表示部４２１ｄとを備える。
【００４０】
選択部４２１ａはボックスになっていて、ここにマウス等でチェックを入れることにより画面を編集画面部７に表示、チェックを外すことにより編集画面部７から非表示にすることができる。プレビュー部４２１ｂには、編集画面部７で現在編集中の画面がプレビューされる。画面番号表示部４２１ｃは現在編集中の画面の画面番号を表示する。画面名表示部４２１ｄは、現在編集中の画面の画面名である。これら画面番号、画面名により画面の管理が扱い易く容易になる。
【００４１】
背景画面設定操作部４２２は、現在編集中の背景画面の表示／非表示を選択する選択部４２２ａと、背景画面のプレビュー部４２２ｂと、背景画面選択リストを呼び出すためのボタン４２２ｃとを備える。ボタン４２２ｃの操作により矢印方向に背景画面選択リストのウインドウ４２２ｄが示されている。また、背景画面の画面番号表示部４２２ｅと、背景画面の画面名表示部４２２ｆとを備える。
【００４２】
選択部４２２ａはボックスになっていて、ここにマウス等でチェックを入れることにより背景画面を編集画面部７に表示、チェックを外すことにより編集画面部７から非表示にすることができる。プレビュー部４２２ｂには、編集画面部７で現在編集中の背景画面がプレビューされる。ボタン４２２ｃの操作により呼び出されるウインドウ４２２ｄは背景画面のリストを「なし（Ｎｏｎｅ）、１−Ｓｃｒｅｅｎ１、２−Ｓｃｒｅｅｎ２、…」と表示している。このリストをマウス等により選択することにより、画面番号表示部４２２ｅには例えば、「１−Ｓｃｒｅｅｎ１」の「１」が画面番号として表示され、画面名表示部４２２ｆには「１−Ｓｃｒｅｅｎ１」の「Ｓｃｒｅｅｎ１」が画面名として表示される。
【００４３】
背景色設定操作部４２３は、現在編集中の画面ｎの背景色を表示／非表示することを選択する選択部４２３ａと、現在編集中の画面ｎの背景色をサンプル表示する表示部４２３ｂと、背景色選択ダイアログを呼び出すためのボタン４２３ｃとを備える。ボタン４２３ｃの操作により矢印方向に背景色選択ダイアログのウインドウ４２３ｄが示されている。
【００４４】
選択部４２３ａはボックスになっていて、ここにマウス等でチェックを入れることにより背景色を編集画面部７に表示、チェックを外すことにより編集画面部７から非表示にすることができる。表示部４２３ｂには、編集画面部７で現在編集中の背景色がプレビューされる。ボタン４２３ｃの操作により呼び出される背景色ウインドウ４２３ｄが表示される。このウインドウ４２３ｄ中の背景色をマウス等により選択することにより背景色を選択することができる。
【００４５】
図１１を参照して画面設定操作部４２１を説明する。
【００４６】
図１１（ａ）は画面設定操作部４２１の拡大図、図１１（ｂ）は、現在編集中の画面、図１１（ｃ）は背景画面、図１１（ｄ）は編集画面部７に表示している編集画面である。
【００４７】
この図１１（ｄ）の編集画面では画面、背景画面、背景色が示されている。この場合、背景画面の一部が画面の後ろ側に隠されている。そこで、選択部４２１ａを操作して画面を非表示にすると、図１１（ｃ）のように背景画面の全体が編集画面部７に表示される。プレビュー部４２１ｂには図１１（ｂ）の画面のみが小さく表示される。
【００４８】
図１２を参照して背景画面設定操作部４２２を説明する。
【００４９】
図１２（ａ）は背景画面設定操作部４２２の拡大図、図１２（ｂ）は現在編集中の画面、図１２（ｃ）は背景画面、図１２（ｄ）は編集画面部７に表示している編集画面である。
【００５０】
この図１２（ｄ）の編集画面では画面、背景画面、背景色が示されている。選択部４２２ａを操作して背景画面を非表示にすると、図１２（ｂ）のように背景画面が非表示になり画面が編集画面部７に表示される。プレビュー部４２２ｂには図１２（ｃ）の背景画面が小さく表示される。このプレビュー部４２２ｂには画面や編集画面部７で表示中の画面は表示されない。ボタン４２２ｃを操作すると、背景画面のウインドウ４２２ｄが呼び出される。ボタン４２３ｃの操作によりウインドウ４２２ｄ内の背景画面を選択することができる。
【００５１】
図１３を参照して背景色設定操作部４２３を説明する。
【００５２】
図１３（ａ）は背景色設定操作部４２３の拡大図、図１３（ｂ）は現在編集中の画面、図１３（ｃ）は背景画面、図１３（ｄ）は、背景色を示す画面、図１３（ｅ）は編集画面部７に表示している編集画面である。
【００５３】
図１３（ｅ）の編集画面では、画面、背景画面、背景色が示されている。選択部４２３ａを操作して背景色を非表示にすることができる。表示部４２３ｂには現在編集中の画面の背景色がサンプル表示される。ボタン４２３ｃを操作すると、背景色選択ダイアログのウインドウ４２３ｄが呼び出される。ボタン４２３ｃの操作によりウインドウ４２３ｄ内の背景色を選択することができる。
【００５４】
以上説明したように本実施の形態では、表示器上に表示する画面を画面、背景画面および背景色の３つの要素を編集画面上に表示し、この表示状態を閲覧しつつ、画面の編集と、背景画面の表示／非表示および設定／変更と、背景色の表示／非表示および選択／変更とを、メニューから機能を選択しかつ別途にウインドウを開かずに行う。
【００５５】
これにより、本実施の形態では、画面編集を同一の編集画面上でシームレスに行うことができるため、編集作業のテンポを乱すことなく作業を進められるようになる。
【００５６】
本発明は、上述した実施の形態に限定されるものではなく、特許請求の範囲に記載した範囲内で、種々な変更ないしは変形を含むものである。
【図面の簡単な説明】
【００５７】
【図１】画面編集装置と表示器とを示す図である。
【図２】画面の説明に用いる図である。
【図３】背景画面を示す図である。
【図４】画面を示す図である。
【図５】画面と背景画面とを合成した編集画面を示す図である。
【図６】画面１と画面２とを示す図である。
【図７】画面１と画面２とを画面要素に分けて示す図である。
【図８】画面１と画面２とを合成した画面を示す図である。
【図９】実施の形態の編集画面を示す図である。
【図１０】図９の設定操作部を拡大して示す図である。
【図１１】画面設定操作部を説明するための画面を示す図である。
【図１２】背景画面設定操作部を説明するための画面を示す図である。
【図１３】背景色設定操作部を説明するための画面を示す図である。
【符号の説明】
【００５８】
４  ナビゲーションウインドウ
４１  プレビュー部
４２  設定操作部
４２１  画面設定操作部
４２２  背景画面設定操作部
４２３  背景色設定操作部
７  編集画面部
【図１】
2007248579.tif 000003
【図２】
2007248579.tif 000004
【図３】
2007248579.tif 000005
【図４】
2007248579.tif 000006
【図５】
2007248579.tif 000007
【図６】
2007248579.tif 000008
【図７】
2007248579.tif 000009
【図８】
2007248579.tif 000010
【図９】
2007248579.tif 000011
【図１０】
2007248579.tif 000012
【図１１】
2007248579.tif 000013
【図１２】
2007248579.tif 000014
【図１３】
2007248579.tif 000015